(57)【要約】【課題】操作監視画面を高速に画面表示することが可能な操作監視装置を実現すること。御装置との無駄な通信を避けること、制御装置の負荷を低減すること、ページ送り操作を速やかに行えるようにして操作監視画面の操作性を高めること。【解決手段】  制御装置から収集したデータに基づき表示される操作監視画面を介してプラントの制御運転が行われる操作監視装置において、前記操作監視画面を構成する画面イメージデータを記憶する記憶手段と、前記制御装置からのデータ収集が完了するまでは、前記操作監視画面の代わりに前記制御装置からのデータを必要とせずに操作監視画面の概要を表示可能な擬似操作監視画面を前記画面イメージデータに基づいて表示する表示制御手段と、を備えたことを特徴とする。【選択図】図１
2011164727.tif 000002
【特許請求の範囲】
【請求項１】
制御装置から収集したデータに基づき表示される操作監視画面を介してプラントの制御運転が行われる操作監視装置において、
前記操作監視画面を構成する画像イメージデータを記憶する記憶手段と、
前記制御装置からのデータ収集が完了するまでは、前記操作監視画面の代わりに前記制御装置からのデータを必要とせずに前記操作監視画面の概要を表示可能な擬似操作監視画面を前記画像イメージデータに基づいて表示する表示制御手段と、
を備えたことを特徴とする操作監視装置。
【請求項２】
前記表示制御手段は、
制御装置からのデータ収集が完了すると、表示している画面を前記擬似操作監視画面から前記操作監視画面に変更することを特徴とする請求項１記載の操作監視装置。
【請求項３】
表示されている前記擬似操作監視画面を消去するための画面消去リクエスト情報、又は、表示されている前記擬似操作監視画面とは別の画面を表示するための別画面表示リクエスト情報が入力される入力手段と、
前記リクエスト情報が入力されると、前記制御装置からのデータ収集を中止する制御手段と、
を備えたことを特徴とする請求項１または２記載の操作監視装置。
【請求項４】
前記記憶手段は、前記リクエスト情報の入力を受け付ける待機時間を記憶し、
前記制御手段は、前記擬似操作監視画面が表示されてから前記待機時間が経過するまでに前記リクエスト情報が入力されると、前記制御装置からのデータ収集を中止することを特徴とする請求項３記載の操作監視装置。
【請求項５】
前記表示制御手段が前記画面を表示を継続している時間に基づき、前記待機時間の時間の長短を変更する待機時間設定手段、を備えたことを特徴とする請求項４記載の操作監視装置。
【請求項６】
前記待機時間設定手段は、
前記表示制御手段が前記画面の表示を継続している時間が、記憶手段に記憶されている閾値より短い場合であれば前記待機時間を現在記憶手段に記憶されている時間よりも長くして記憶手段に記憶し、
前記表示制御手段が前記画面の表示を継続している時間が、記憶手段に記憶されている閾値より長い場合であれば前記待機時間を現在記憶手段に記憶されている時間よりも短くして記憶手段に記憶することを特徴とする請求項５記載の操作監視装置。
【発明の詳細な説明】
【技術分野】
【０００１】
本発明は、制御装置から収集したデータに基づき表示される操作監視画面を介してプラントの制御運転と監視が行われる操作監視装置に関し、特に画面表示の高速化に関する。
【背景技術】
【０００２】
従来から、表示装置を用いてプラントや浄水場等の制御対象について制御運転や監視を行うための、いわゆる分散形制御システムと呼ばれる生産制御システムがある。
このような分散形制御システムは、表示装置の画面に、プラントの制御運転や監視に必要な各種の情報を表示し、プラントに異常が発生したときにそのことを警報表示してオペレータに通知し、オペレータが異常に対して適切な指示や処置を行うことができる構成となっている。
【０００３】
図４は従来の分散形制御システムの構成例を示すブロック図である。スケジュール作成装置１は例えばバッチ処理のスケジュールを作成し、通信バスＢＳ１を介してスケジュール情報を操作監視装置２に送信する。
操作監視装置２は、スケジュール作成装置１から送られたスケジュール情報をもとに、バッチ処理の実行処方を作成し、バッチ処理の起動をかける。
制御装置３は、通信バスＢＳ２を介して操作監視装置２から起動をかけられると、実行処方に従ってバッチ処理をプラント４に実行させる。
【０００４】
具体的には、工場の操作監視を行うオペレータは、従来の操作監視装置を用いて、生産制御システムの端末である操作監視装置２を構成する操作監視コンソールにて、監視範囲や監視目的に応じた画面（以下、操作監視画面という）を表示させて操業を行っている。
【０００５】
操作監視装置２が表示する操作監視画面は、複数のページから構成されるものである場合があり、たとえばプロセス全体の操作監視を行うための画面（ページ）、ユーザーが任意選択可能なプロセスの一部（第１工程、第２工程）についての操作監視を行うための画面（ページ）などの複数のページから構成される。
【０００６】
従来の操作監視装置２は、ユーザーから画面の表示リクエストが入力される（受信する）と、表示に必要な測定データ、制御データ、プロセスデータなどの情報を制御装置３から収集し、情報が集まった時点で操作監視画面を表示する。
具体的には、操作監視装置２は、制御装置から収集したデータに基づき、操作監視画面上にプラントに敷設されたフィールド制御ネットワークの配置図および各プロセスにおける進捗状況などを表示する。
【０００７】
また操作監視装置２は、制御装置３からのデータに応じて予め定められた表示形式で画面表示をするための画面定義情報を図示しない記憶手段に予め記憶する。
操作監視装置２は、画面定義情報と制御装置３から収集したデータに基づき、操作監視画面を表示する。
【０００８】
図５は図４の操作監視装置の動作説明図であり、操作監視画面の表示までにおける操作監視装置の動作を時系列で表している。
たとえば、図４において、操作監視装置２は、ユーザーから画面表示リクエスト情報が図示しない入力手段を介して入力されると、時間Ｔ０〜Ｔ１の間、通信バスＢＳ２を介して制御装置３からデータ収集を実行する。
時間Ｔ１において、操作監視装置２は、表示に必要な測定データ、制御データ、プロセスデータなどの情報が制御装置３から全て取得できた状態になる。この場合画操作監視装置２は、制御装置から収集したデータおよび画面定義情報に基づき、操作監視画面上にプラントに敷設されたフィールド制御ネットワークの配置図および各プロセスにおける進捗状況を表示する。
時間Ｔ２において、操作監視装置２は、ユーザーから終了リクエスト情報が図示しない入力手段を介して入力されると、画面表示を終了する。
【０００９】
このような操作監視装置に関連する先行技術文献として下記の特許文献１がある。
【先行技術文献】
【特許文献】
【００１０】
【特許文献１】特開平９−１２８００３号公報
【発明の概要】
【発明が解決しようとする課題】
【００１１】
ここで、従来の操作監視装置では、沢山のプロセスデータが割りついている操作監視画面（いいかれば、プロセスの動作状況を表示するために必要なデータが多数ある操作監視画面）を表示する場合では、（Ａ）大量の画面定義情報を読み込むに際して時間がかかってしまう、（Ｂ）大量のプロセスデータに基づき描画するに際して時間がかかってしまう、（Ｃ）複数のデータソースである制御装置にアクセスする必要があり大量データの取得に情報収集に時間がかかってしまう、ので画面を表示するまでに何秒もかかってしまうという問題点があった。
【００１２】
また、従来の操作監視装置では、表示リクエストを受信してから、画面表示完了までの間は、画面の操作ができないため、複数ページの巡回に長い時間がかかってしまうという問題点があった。
【００１３】
また、従来の操作監視装置では、ページ送り操作などで画面を移動する場合、全ての経過画面の表示で制御装置への通信（画面表示に必要なデータ収集で生じる通信）が発生し、制御装置の負荷を高めてしまうという問題点があった。
【００１４】
本発明は上述の問題点を解決するものであり、その目的は、操作監視画面を高速に画面表示することが可能な操作監視装置を実現することにある。
また本発明は、制御装置との無駄な通信を避けること、制御装置の負荷を低減すること、ページ送り操作を速やかに行えるようにして操作監視画面の操作性を高めることも目的とする。
【課題を解決するための手段】
【００１５】
このような課題を解決するために、本発明のうち請求項１記載の発明は、
制御装置から収集したデータに基づき表示される操作監視画面を介してプラントの制御運転が行われる操作監視装置において、
前記操作監視画面を構成する画像イメージデータを記憶する記憶手段と、
前記制御装置からのデータ収集が完了するまでは、前記操作監視画面の代わりに前記制御装置からのデータを必要とせずに前記操作監視画面の概要を表示可能な擬似操作監視画面を前記画像イメージデータに基づいて表示する表示制御手段と、
を備えたことを特徴とする操作監視装置である。
【００１６】
請求項２記載の発明は、請求項１記載の操作監視装置において、
前記表示制御手段は、
制御装置からのデータ収集が完了すると、表示している画面を前記擬似操作監視画面から前記操作監視画面に変更することを特徴とする。
【００１７】
請求項３記載の発明は、請求項１または２記載の操作監視装置において、
表示されている前記擬似操作監視画面を消去するための画面消去リクエスト情報、又は、表示されている前記擬似操作監視画面とは別の画面を表示するための別画面表示リクエスト情報が入力される入力手段と、
前記リクエスト情報が入力されると、前記制御装置からのデータ収集を中止する制御手段と、
を備えたことを特徴とする。
【００１８】
請求項４記載の発明は、請求項３記載のいずれかに記載の操作監視装置において、
前記記憶手段は、前記リクエスト情報の入力を受け付ける待機時間を記憶し、
前記制御手段は、前記擬似操作監視画面が表示されてから前記待機時間が経過するまでに前記リクエスト情報が入力されると、前記制御装置からのデータ収集を中止することを特徴とする。
【００１９】
請求項５記載の発明は、請求項４のいずれかに記載の操作監視装置において、
前記表示制御手段が前記画面を表示を継続している時間に基づき、前記待機時間の時間の長短を変更する待機時間設定手段、を備えたことを特徴とする。
【００２０】
請求項６記載の発明は、請求項５記載の操作監視装置において、
前記待機時間設定手段は、
前記表示制御手段が前記画面の表示を継続している時間が、記憶手段に記憶されている閾値より短い場合であれば前記待機時間を現在記憶手段に記憶されている時間よりも長くして記憶手段に記憶し、
前記表示制御手段が前記画面の表示を継続している時間が、記憶手段に記憶されている閾値より長い場合であれば前記待機時間を現在記憶手段に記憶されている時間よりも短くして記憶手段に記憶することを特徴とする。
【発明の効果】
【００２１】
本発明によれば、操作監視画面を構成する画面イメージデータを記憶する記憶手段と、制御装置からのデータ収集が完了するまでは、操作監視画面の代わりに画面イメージデータに基づき制御装置からのデータを必要とせずに操作監視画面の概要を表示可能な擬似操作監視画面を表示する表示制御手段を備えることにより、操作監視画面を高速に画面表示でき、制御装置との無駄な通信を避けることができ、制御装置の負荷を低減することができ、ページ送り操作を速やかに行えるようにして操作監視画面の操作性を高めることができる点で有効である。
【００２２】
また本発明の操作監視装置は、上述の構成に加えて、表示されている擬似操作監視画面を消去するための画面消去リクエスト情報、又は、表示されている擬似操作監視画面とは別の画面を表示するための別画面表示リクエスト情報が入力される入力手段と、これらのリクエスト情報が擬似操作監視画面が表示されてから待機時間が経過するまでに入力されると、制御装置からのデータ収集を中止する制御手段と、表示制御手段が画面の表示を継続している時間に基づき、待機時間の時間の長短を変更する待機時間設定手段を備えることにより、操作監視画面を高速に画面表示でき、制御装置との無駄な通信を避けることができ、制御装置の負荷を低減することができ、ページ送り操作を速やかに行えるようにして操作監視画面の操作性を高めることができ点で有効である。
【図面の簡単な説明】
【００２３】
【図１】本発明に係る操作監視装置の一実施例を示す構成図である。
【図２】図１の操作監視装置の動作説明図である。
【図３】図１の操作監視装置の動作フロー図である。
【図４】従来の分散形制御システムの構成例を示すブロック図である。
【図５】図４の操作監視装置の動作説明図である。
【発明を実施するための形態】
【００２４】
本発明に係る操作監視装置は、操作監視画面の全部または一部である画像イメージを記憶する記憶手段または画像イメージデータベースを具備することにより、制御装置から実際のデータ（プロセスデータ等）が取得されるまでの間は、記憶されている画像イメージに基づき、擬似的な画面（擬似操作監視画面）を表示して画面表示の高速化を図るものである。
また、本発明に係る操作監視装置は、表示制御手段が画面の表示を継続している表示継続時間、待機時間を記憶する記憶手段または表示時間情報データベースと、表示継続時間に基づき待機時間の時間の長短を変更する待機時間設定手段を具備し、待機時間内に画面消去リクエストや別画面呼び出しリクエストがあると画面表示を中止し、制御装置からの表示データを取得せずに無駄な通信を低減することを図るものである。また表示継続時間が一定の時間より短い（長い）場合は待機時間を長く（短く）設定して無駄な通信を低減する（早期に表示データを取得する）ことを図るものである。
【００２５】
＜第１の実施例＞
（構成の説明）
図１は、本発明に係る操作監視装置の一実施例を示す構成図であり図４と共通する部分には同一の符号を付けて適宜説明を省略する。
図４との相違点は、主に、操作監視画面を構成する画像イメージデータを記憶する記憶手段と、制御装置からのデータ収集が完了するまでは、操作監視画面の代わりに画像イメージデータに基づき制御装置からのデータを必要とせずに操作監視画面の概要を表示可能な擬似操作監視画面を表示する表示制御手段を備える点とが相違する。
【００２６】
図１において、本発明の操作監視装置５０は、制御装置３からデータ収集するためのデータ通信を通信バスＢＳ２を介して行う通信手段５１と、操作監視画面または操作監視画面の全部または一部を構成する画像イメージデータに基づいて、制御装置３からのデータを必要とせずに操作監視画面の概要を表示可能な「擬似操作監視画面」を表示する表示制御手段５２と、表示されている擬似操作監視画面を消去するための画面消去リクエスト情報、又は、表示されている擬似操作監視画面とは別の画面を表示するための別画面表示リクエスト情報が入力される入力手段５３と、操作監視画面を構成する画像イメージデータおよびリクエスト情報の入力を受け付ける待機時間を記憶する記憶手段５４と、擬似操作監視画面が表示されてから待機時間が経過するまでにリクエスト情報が入力されると、制御装置からのデータ収集を中止する制御手段５５と、表示制御手段５２が操作監視画面および／または擬似操作監視画面の表示を継続している時間に基づき、待機時間の時間の長短を変更する待機時間設定手段５６と、から構成される。
【００２７】
（接続・配置関係の説明）
制御手段５５は、バスなどの接続線を介して、通信手段５１、表示制御手段５２、入力手段５３、記憶手段５４、待機時間設定手段５６と相互に接続される。
待機時間設定手段５６は、バスなどの接続線を介して、記憶手段と相互に接続される。
通信手段５１は、通信バスＢＳ２を介して制御装置３と相互に接続され、制御装置３から測定データ、プロセスデータ、制御データを収集するための通信を行う。
【００２８】
（主な構成要素の説明）
通信手段５１は、制御装置３とバッチ処理の実行処方に従ってバッチ処理をプラント４に実行させるためのデータ通信および制御装置３からデータ収集するためのデータ通信を通信バスＢＳ２を介して行う。
【００２９】
表示制御手段５２は、制御装置３からのデータ収集が完了すると操作監視画面を表示し、制御装置３からのデータ収集が完了するまでは、記憶手段５４から読み出した操作監視画面の代わりに操作監視画面の全部または一部を構成する画像イメージデータに基づいて、制御装置３からのデータを必要とせずに操作監視画面の概要を表示可能な「擬似操作監視画面」を表示部で、例えばＣＲＴ、ＬＣＤ等のモニタ部に表示する。
表示制御手段５２は、制御装置３からのデータ収集が完了すると、表示している画面を擬似操作監視画面から操作監視画面に変更する。
【００３０】
入力手段５３は、たとえば、キーボード、マウス等であり、ユーザーから画面消去リクエスト情報、別画面表示リクエスト情報、終了リクエスト情報などが入力される。
【００３１】
記憶手段５４は、ハードディスク、ＲＡＭ（Random Access Memory）やＲＯＭ（Read Only Memory）などであり操作監視装置５０として動作するためのプログラムやアプリケーションなどを記憶する。
また記憶手段５４は、操作監視画面を表示するために必要な画面定義情報と操作監視画面とを関連づけて記憶している画面定義情報データベース、操作監視画面を構成する画像イメージデータと操作監視画面とを関連付けて記憶している画像イメージデータベース、各操作監視画面ごとに設定されているリクエスト情報の入力を受け付ける「待機時間」を示す待機時間情報と操作監視画面とを関連付けて記憶している表示時間情報データベースにおよびを記憶する。
【００３２】
制御手段５５は、各手段の動作を制御するＣＰＵ（Central Processing Unit）などからなるものであって、通信手段５１を制御して制御装置３から操作監視画面の表示に必要な測定データ、制御データ、プロセスデータを収集する。
また制御手段５５は、表示制御手段５２により擬似操作監視画面が表示されてから記憶手段５４などに記憶されている「待機時間」が経過するまでにリクエスト情報が入力されると、制御装置３からのデータ収集を中止する。
具体的には、具体的には制御手段５５は、記憶手段５４に格納されているＯＳなどを起動して、このＯＳ上で記憶手段に格納されたプログラムを読み出して実行することにより操作監視装置５０全体を制御する。
【００３３】
このとき記憶手段５４は、制御手段５２によって実行されるプログラムやアプリケーションをプログラム格納エリアに展開し、入力されたデータや、プログラムやアプリケーションの実行時に生じる処理結果などのデータをワークエリアに一時的に記憶する。
なお、上述の表示制御手段５２、待機時間設定手段５６は、制御手段５５が記憶手段２１に格納されているＯＳなどを起動して、このＯＳ上で格納されたプログラムやアプリケーションを読み出し実行することによりプログラム格納エリアに展開されるソフトウェア、アプリケーションにより実現され、制御手段５２により制御されるものでもよい。
【００３４】
待機時間設定手段５６は、表示制御手段５２が画面の表示を継続している時間が、記憶手段５４に記憶されている閾値より短い場合であれば待機時間の時間を現在記憶手段５４に記憶されている時間よりも長くして記憶手段５４に記憶し、表示制御手段５２が画面を表示を継続している時間が、記憶手段５４に記憶されている閾値より長い場合であれば待機時間の時間を現在記憶手段５４に記憶されている時間よりも短くして記憶手段５４に記憶する。
【００３５】
（動作説明）
図２は図１の操作監視装置の動作説明図であり、擬似走査監視画面の表示、所定時間の待機、操作監視画面表示に係るデータ収集、操作監視画面の表示までにおける操作監視装置の動作を時系列で表している。
【００３６】
たとえば、図２中時間Ｔ０において、操作監視装置２の表示制御手段５２は、入力手段５３を介してユーザーから画面表示リクエスト情報が入力されると、記憶手段５４の中からユーザーが表示を要求している操作監視画面に関連する画像データイメージを読み出し、この画像データイメージに基づいて「擬似操作監視画面」を表示する。
【００３７】
また、制御手段５４は、記憶手段５４に記憶されている待機時間（ここでは待機時間はＴ１とする）だけ待機し、この間（Ｔ０〜Ｔ１）に入力手段５３を介してユーザーから画面消去リクエスト情報または別画面表示リクエスト情報が入力されると、制御手段５５は表示制御手段５２を制御して現在表示している擬似操作監視画面の表示を中止する（消去する）。
【００３８】
操作監視装置の制御手段５５は、待機時間が経過すると、通信バスＢＳ２を介して制御装置３からデータ収集を実行する。
なお制御装置からデータを収集している間（Ｔ１〜Ｔ２）は、表示制御手段５２は、擬似操作監視画面を表示する。
【００３９】
ここで時間Ｔ２において、操作監視装置は、表示に必要な測定データ、制御データ、プロセスデータなどの情報が制御装置３から全て取得できた状態になるとすると、制御手段５５が表示制御手段５２を制御して制御装置３から収集したデータおよび画面定義情報に基づき、操作監視画面上にプラントに敷設されたフィールド制御ネットワークの配置図および各プロセスにおける進捗状況（たとえば現在の原子炉水位状況など）を表示する。
時間Ｔ２において、操作監視装置２は、ユーザーから終了リクエスト情報が図示しない入力手段を介して入力されると、画面表示を終了する。
【００４０】
このため本発明であれば、表示制御手段が画像イメージに基づき擬似操作監視画面を表示することにより、現在の進捗状況を把握できなくても、プラントにおける制御装置３の配置状況、記憶手段に記憶されている画像データに基づき表示される（過去の）プロセスデータを表示できる、しかも高速に画面表示できるため、ユーザーはおおまかにプロセスの状態を把握でき、データ収集中の時間内に操作監視における対応を検討できるなど操作監視に貢献できる点で有効である。
【００４１】
また、表示制御手段が画像イメージに基づき擬似操作監視画面を表示することにより、ユーザーはおおまかにプロセスの状態を把握できるため、操作監視画面を表示するまでもない場合には画面消去リクエスト情報を入力すれば制御装置との無駄な通信を避けることができ、制御装置の負荷を低減することができる点で有効である。
さらに、表示制御手段が画像イメージに基づき擬似操作監視画面を表示することにより、ユーザーはおおまかにプロセスの状態を把握できるため、別の操作監視画面を表示して操作する必要があると判断した場合には別画面表示リクエスト情報を入力すれば制御装置との無駄な通信を避けることができ、制御装置の負荷を低減することができる点で有効である。
すなわち、本発明は、表示制御手段が画像イメージに基づき擬似操作監視画面を表示することにより、ページ送り操作での途中画面表示など、表示内容の完全性よりも速やかな移行を期待する表示では、ページの確認ができる程度の表示に留め、制御装置からの表示データの収集は行わないようにし、無駄な通信を避けることができる。
【００４２】
（動作フローの説明）
以下、さらに詳細に本発明の操作監視装置の動作について説明する。図３は図１の操作監視装置の動作フロー図である。
【００４３】
ステップＳＰ１０１において、入力手段５３は、ユーザーから画面表示を要求する画面表示リクエスト情報が入力される。
【００４４】
ステップＳＰ１０２において、制御手段５５は、入力された画面表示リクエスト情報に基づき、ユーザーが表示を所望する操作監視画面を記憶手段５４（画像イメージデータベース）から抽出し、当該操作監視画面（ユーザーからの呼び出し画面）の画像イメージが記憶手段５４に記憶されているか否かを確認する。制御手段５５が当該操作監視画面の画像イメージが記憶手段５４に記憶されていると確認できればステップＳＰ１０３に移行する。
一方、制御手段５５が当該操作監視画面の画像イメージが記憶手段５４に記憶されていないと確認されればステップＳＰ１１２（通常の操作画面表示の動作説明フロー）に移行する。
【００４５】
ステップＳＰ１０３において、表示制御手段５２は、記憶手段５４（画像イメージデータベース）から抽出されたユーザーが表示を所望する操作監視画面の代わりに、記憶手段５４に記憶され当該操作監視画面の全部または一部を構成する画像イメージデータに基づいて制御装置３からのデータを必要とせずに操作監視画面の概要を表示可能な「擬似操作監視画面」を表示する。
【００４６】
ステップＳＰ１０４において、制御手段５５は、表示制御手段５２が「擬似操作監視画面」を表示している時間（表示継続時間）の測定を開始する（表示継続時間のトラック開始）。
【００４７】
ステップＳＰ１０５において、制御手段５５は、記憶手段５４（表示時間情報データベース）にユーザーにより表示が要求されている操作監視画面に対応する待機時間情報が有るか否かを確認する。
制御手段５５が当該操作監視画面の待機時間情報が記憶手段５４に記憶されていると確認できればステップＳＰ１０６に移行する。
一方、制御手段５５が当該操作監視画面の待機時間情報が記憶手段５４に記憶されていないと確認されればステップＳＰ１１１に移行する。
【００４８】
ステップＳＰ１０６〜１０８は擬似操作監視画面の表示中に待機時間だけ待機する場合の動作説明フローである。
ステップＳＰ１０６において、制御手段５５は待機時間の測定を開始（待機時間タイマースタート）する。以降、制御手段５５は待機時間内にユーザーからの画面消去リクエストまたは別画面呼び出しリクエストが入力されるまで待機する。
【００４９】
ステップＳＰ１０７において、待機時間内に入力手段５３を介してユーザーからの画面消去リクエストまたは別画面呼び出しリクエストが入力されなければ、ステップＳＰ１０８に移行する。
また、待機時間内に入力手段５３を介してユーザーからの画面消去リクエストまたは別画面呼び出しリクエストが入力される場合は、ステップＳＰ１０９に移行する。
【００５０】
ステップＳＰ１０８において、制御手段５５は、待機時間が経過すると、ステップＳＰ１１２（通常の操作画面表示の動作説明フロー）に移行する。
【００５１】
ステップＳＰ１０９において、表示制御手段５２は、表示している画像イメージ（擬似操作監視画面）を消去する。
【００５２】
ステップＳＰ１１０において、待機時間設定手段５６は、画面を表示を継続している時間（制御時間５５が測定していた時間）に基づき、新しい待機時間を算出し（待機時間の時間の長短を変更し）、表示時間情報データベースに保存する。
【００５３】
具体的には、待機時間設定手段５６は、表示制御手段５２が画面の表示を継続している時間が、記憶手段５４に記憶されている閾値より短い場合であれば待機時間の時間を（現在記憶手段５４に記憶されている時間よりも）長くして記憶手段５４に記憶することにより無駄な通信を行わないようにする。このような場合、待機時間設定手段５６が待機時間を長くして設定することにより、別画面呼び出しリクエストを受け付ける時間を長く確保する。これによりページ送り操作での途中画面表示など、表示内容の完全性よりも速やかな移行を期待する表示では、ページの確認ができる程度の表示に留め、制御装置からの表示データの収集は行わないようにし、無駄な通信を避けることができる点で有効である。
【００５４】
また、待機時間設定手段５６は、表示制御手段５２が画面の表示を継続している時間が、記憶手段５４に記憶されている閾値より長い場合であれば待機時間の時間を（現在記憶手段５４に記憶されている時間よりも）短くして記憶手段５４に記憶することにより少しでも早く表示データを取得するようにする。
【００５５】
なお待機時間設定手段５６による待機時間の算出方法は、画面表示のたびに、表示継続時間の長短により計算する。画面が呼び出されるたびに待機時間を計算するため、常に最適なものが設定されることとなる。
【００５６】
ステップＳＰ１１１において、ステップＳＰ１０５で制御手段５５が、記憶手段５４にユーザーにより表示が要求されている操作監視画面（呼び出し画面）の待機時間情報が記憶されていないと判断した場合、予め記憶手段５４に記憶されている待機時間の初期値、デフォルト値を設定し記憶手段５４（表示時間情報データベース）に保存し、ステップＳＰ１０６に移行する。
【００５７】
ステップＳＰ１１２〜１１６は通常の操作画面表示の動作説明フローである。
ステップＳＰ１１２において、表示制御手段５２は、記憶手段５４に記憶されている画面定義情報を取得する。
【００５８】
ステップＳＰ１１３において、制御手段５５は、通信手段５１を制御して制御装置３から操作監視画面の表示に必要な測定データ、制御データ、プロセスデータを収集する。
【００５９】
ステップＳＰ１１４において、制御手段５５は、表示制御手段５２が画像イメージデータ、画像イメージデータに基づく擬似操作監視画面を表示しているか否かを判断し、表示していればステップＳＰ１１５に移行し、表示していなければステップＳＰ１１６に移行する。
【００６０】
ステップＳＰ１１５において、制御手段５５は、表示制御手段５２を制御して画像イメージデータ、画像イメージデータに基づく擬似操作監視画面の表示を中止し（擬似操作監視画面を消去し）、ステップＳＰ１１６に移行する。
すなわち制御装置からのデータ収集が完了すると、制御手段５５は、表示制御手段５２を制御して表示している画面を擬似操作監視画面から操作監視画面に変更することになる。
【００６１】
ステップＳＰ１１６において、表示制御手段５２は、制御装置３からのデータ収集が完了すると、これら収集したデータおよび画面定義情報に基づいて、ユーザーが所望する操作監視画面を表示する。
このとき、表示制御手段５２は、入力手段を介して画面表示を終了させるための終了割り込みリクエスト情報が入力されると、操作監視画面の表示を中止する。
【００６２】
ステップＳＰ１１７において、制御手段５５は、表示制御手段５２を制御して表示された操作監視画面を構成する画像イメージ、画面のイメージを取り込み、記憶手段５４の画像イメージデータベースに記憶・保存する。
【００６３】
ステップＳＰ１１８において、表示制御手段５２は、画面消去リクエストを入力手段５３等を介して受信すると、表示していた操作監視画面の表示を中止する（画面を消去する）。その後ステップＳＰ１１０に移行する。
【００６４】
この結果、本発明の操作監視装置は、操作監視画面を構成する画面イメージデータを記憶する記憶手段と、制御装置からのデータ収集が完了するまでは、操作監視画面の代わりに画面イメージデータに基づき制御装置からのデータを必要とせずに操作監視画面の概要を表示可能な擬似操作監視画面を表示する表示制御手段を備えることにより、操作監視画面を高速に画面表示でき、制御装置との無駄な通信を避けることができ、制御装置の負荷を低減することができ、ページ送り操作を速やかに行えるようにして操作監視画面の操作性を高めることができる点で有効である。
【００６５】
つまり、表示制御手段が画像イメージに基づき擬似操作監視画面を表示することにより、現在の進捗状況を把握できなくても、プラントにおける制御装置３の配置状況、記憶手段に記憶されている画像データに基づき表示される（過去の）プロセスデータを表示でき、しかも高速に画面表示できるため、ユーザーはおおまかにプロセスの状態を把握でき、データ収集中の時間内に操作監視における対応を検討できるなど操作監視に貢献できる点で有効である。いいかえれば、完全な操作監視画面の表示に先立ち、あらかじめ用意しておいた画像イメージを表示することにより、画面の表示時間を擬似的に高速化できる。
【００６６】
また本発明の操作監視装置は、上述の構成に加えて、表示されている擬似操作監視画面を消去するための画面消去リクエスト情報、又は、表示されている擬似操作監視画面とは別の画面を表示するための別画面表示リクエスト情報が入力される入力手段と、これらのリクエスト情報が擬似操作監視画面が表示されてから待機時間が経過するまでに入力されると、制御装置からのデータ収集を中止する制御手段と、表示制御手段が画面の表示を継続している時間に基づき、待機時間の時間の長短を変更する待機時間設定手段を備えることにより、操作監視画面を高速に画面表示でき、制御装置との無駄な通信を避けることができ、制御装置の負荷を低減することができ、ページ送り操作を速やかに行えるようにして操作監視画面の操作性を高めることができ点で有効である。
【００６７】
いいかえれば、表示制御手段が画像イメージに基づき擬似操作監視画面を表示することにより、ユーザーはおおまかにプロセスの状態を把握できるため、操作監視画面を表示するまでもない場合には画面消去リクエスト情報を入力すれば制御装置との無駄な通信を避けることができ、制御装置の負荷を低減することができる点で有効である。
さらに、表示制御手段が画像イメージに基づき擬似操作監視画面を表示することにより、ユーザーはおおまかにプロセスの状態を把握できるため、別の操作監視画面を表示して操作する必要があると判断した場合には別画面表示リクエスト情報を入力すれば制御装置との無駄な通信を避けることができ、制御装置の負荷を低減することができる点で有効である。
すなわち、本発明は、表示制御手段が画像イメージに基づき擬似操作監視画面を表示することにより、ページ送り操作での途中画面表示など、表示内容の完全性よりも速やかな移行を期待する表示では、ページの確認ができる程度の表示に留め、制御装置からの表示データの収集は行わないようにし、無駄な通信を避けることができる点で有効である。
【００６８】
（その他の実施例）
なお、本発明の操作監視装置は、表示時間情報に加え、表示頻度などの情報を収集することにより操作監視頻度の高い画面を容易に表示することができるものであってもよい。
たとえば、名前入力からの予測呼び出しや、操作監視頻度の高い画面をアイコン化した画面を追加し、そこからアイコンをクリックするだけで画面を表示することなどが可能になる。
【００６９】
なお、制御装置３は、プラント４に設置され、物理量（例えば、流量、水位、圧力、温度等）を計測し、その計測結果に応じた電気信号を出力する、圧力／差圧伝送器、各種流量計、温度計、バルブ・ポジショナ、コントローラ等の複数のフィールド機器を含むものでもよい。
たとえばフィールド機器は、オートメーション及びプロセス制御の技術において、センサとしてプロセス変数を測定し、アクチュエータとして制御変数を制御するためにしばしば用いられている。
また、インダストリアルオートメーションにおけるプロセス制御システムとして、フィードバック制御などの制御ループを構成する流量計や温度計などのセンサ、アクチュエータ、コントローラを含むフィールド機器を、プラント等に敷設されたFoundation Fieldbus FF-H1（登録商標）、PROFIBUS-PA（登録商標）などの２線式バス給電型のフィールドバス等のネットワークにより相互に接続し、フィールド制御システムとして構築することが提案されている。
【符号の説明】
【００７０】
５０  操作監視装置
５１  通信手段
５２  表示制御手段
５３  入力手段
５４  記憶手段
５５  制御手段
５６  待機時間設定手段
【図１】
2011164727.tif 000003
【図２】
2011164727.tif 000004
【図３】
2011164727.tif 000005
【図４】
2011164727.tif 000006
【図５】
2011164727.tif 000007